(57)【要約】【課題】  従来の行灯の持つ風情を感じつつ天然の竹の中から発せられる淡い光を楽しむことができる電気行灯を提供すること。【解決手段】    光を発する光源１１と、この光源１１を支持する基台２１と、１つの節３３を有するとともに開口端部３２を有する天然の竹筒３１とを備え、竹筒３１は、その開口端部３２を下側にして光源１１を覆うように基台２１に載置され、当該竹筒３１の周面の全体又は一部の厚さを薄くして光源１１から発した光を透過可能な光透過部３５を形成した。光源１１として懐中電灯１２を使用してもよい。【選択図】      図１
0003135533.tif 000002
【実用新案登録請求の範囲】
【請求項１】
光を発する光源と、この光源を支持する基台と、１つの節を有するとともに開口端部を有する天然の竹筒とを備え、
前記竹筒は、その開口端部を下側にして前記光源を覆うように前記基台に載置され、当該竹筒の周面の全体又は一部の厚さを薄くして前記光源から発した光を透過可能な光透過部を形成したことを特徴とする電気行灯。
【請求項２】
前記光源が懐中電灯からなることを特徴とする請求項１記載の電気行灯。
【考案の詳細な説明】
【技術分野】
【０００１】
本考案は、天然の竹を利用した電気行灯に関する。
【背景技術】
【０００２】
昔、行灯は夜間の室内の照明に使用されていた。電球や蛍光灯の発達により行灯が使用されることは殆どなくなったが、和の風情を感じさせるものであり、最近ではインテリアの１つとして楽しむ人も増えてきている。
【０００３】
こうした観点から、置物及びこれを用いた間接照明器具が提案されている（例えば、特許文献１参照）。この置物等は、容器内に載置したＬＥＤの調合された色の一部が、容器の少なくとも一部から放出されるように構成されたものである。
【特許文献１】実用新案登録第３１１０５６２号公報
【考案の開示】
【考案が解決しようとする課題】
【０００４】
ところで、上記した置物等の場合、容器を合成樹脂・木材・竹・ガラスから形成することになっているが（図１では立方体形状）、素材の持つ風合いを出すことが難しく面白みに欠けやすい。また、容器は、その中のＬＥＤを保護しなければならないために、ある程度強固に形成されていなければならないわけでありデザイン的にも制約を受けることになり、この点からも面白みに欠けやすい。
【０００５】
本考案の目的は、上記事情に鑑み、従来の行灯の持つ風情を感じつつ天然の竹の中から発せられる淡い光を楽しむことができる電気行灯を提供することにある。
【課題を解決するための手段】
【０００６】
請求項１の考案は、光を発する光源と、この光源を支持する基台と、１つの節を有するとともに開口端部を有する天然の竹筒とを備え、前記竹筒は、その開口端部を下側にして前記光源を覆うように前記基台に載置され、当該竹筒の周面の全体又は一部の厚さを薄くして前記光源から発した光を透過可能な光透過部を形成したことを特徴とするものである。
【０００７】
上記請求項１の考案の場合、天然の竹筒が光源のカバーとなり保護する。ここで、竹筒は、天然のものであり、それだけで風情がある。また、竹筒には節があり構造的に強度が大である。また、竹は、入手が容易で加工もしやすく、光透過部などを簡単に形成できる。竹筒の光透過部を透過した光は淡く、これを見る人をリラックスさせる。
【０００８】
また、請求項２の考案は、前記光源が懐中電灯からなることを特徴とするものである。
【０００９】
上記請求項２の考案の場合、懐中電灯は停電時や災害時（夜間の地震時等）の場合に役立つものであるが、玄関とか押入れの中に置かれることが多く、使用時に見つけるのに苦労するものであるが、本電気行灯を例えば寝室に置いておき点灯しておけば、緊急の場合にも懐中電灯を探す手間を掛けずに、ただちに使用ができる。
【考案の効果】
【００１０】
請求項１の考案によれば、天然の竹筒が光源のカバーとなり、当該光源を保護する。また、竹筒の光透過部から通過した淡い光が見る人をリラックスさせる。すなわち、本電気行灯を使用する人は、従来の行灯の持つ風情を感じつつ天然の竹の中から発せられる淡い光を楽しむことができる。
【００１１】
また、請求項２の考案によれば、請求項１と同様な効果を奏する他、緊急時にも懐中電灯を探す手間を掛けずに、ただちに使用ができる。
【考案を実施するための最良の形態】
【００１２】
以下、本考案の実施の形態を図面に基づき説明する。
【００１３】
本考案に係る電気行灯１は、図１に示すように、光を発する光源１１と、この光源１１を支持する基台２１と、１つの節３３を有するとともに開口端部３２を有する天然の竹筒３１とからなり、この竹筒３１を透過した淡い光を楽しむことが可能な構成とされている。
【００１４】
具体的には、光源１１は、電気をつかって光を発するものであり、この実施形態では、図６に示すように、一般家庭の商用電源（例えば、１００ボルト）から電気を供給されて光を発する電球からなる。光源１１として、図７に示すように、懐中電灯１２を使用してもよい。
【００１５】
次に、この実施形態では、基台２１は、図６に示すように、その中央部に光源１１を支持するように桑の木や樅の木などで形成されている。
【００１６】
竹筒３１は、図２に示すように、その下端（開口端部３２）が開口されており、上端部近くには節３３がある。この実施形態では、竹筒３１は、天然の真竹を加工して形成されている。竹筒３１の節３３には、図２（Ｂ）に示すように、光源１１を覆った場合に加温された中の空気を逃がすための孔３４が複数個貫通穿設されている。なお、竹筒３１の節３３を底面とした上端の凹部分３７に芳香剤を置き、香りを楽しむこともできる。竹筒３１の全体または一部分の厚さを薄くして（すなわち、光源１１の光が通過するような薄さにして）、光透過部３５が形成されている。この実施形態では、竹筒３１の光透過部３５は、図３および図５に示すように、その周面に鉛直に伸びる複数個の溝３５Ａから形成されている。なお、この溝３５Ａの深さは、その中の光源１１から発した光が通過可能で当該竹筒３１の強度を必要以上に弱めないような長さとされている。上記竹筒３１は、その開口端部３２を下にして基台２１に置かれて光源１１を覆う。この状態で、光源１１を電気をつかって光を発するようにすれば、当該光は竹筒３１の光透過部３５を透過し外に淡い光となって周囲を照らす。
【００１７】
ここで、本電気行灯１の場合、天然の竹筒３１が光源１１のカバーとなり保護する。ここで、竹筒３１は、天然のものであり、それだけで風情がある。また、竹筒３１には節３３があり構造的に強度が大である。また、竹は、入手が容易で加工もしやすく、光通下部３５などを簡単に形成できる。竹筒３１の光透過部３５から通過した光は淡く、これを見る人の眼にやさしくリラックスさせる。すなわち、本電気行灯１を使用する人は、従来の行灯の持つ風情を感じつつ天然の竹の中から発せられる淡い光を楽しむことができる。
【００１８】
また、特に、光源１１として懐中電灯１２を使った場合には、緊急時にも懐中電灯を探す手間を掛けずに、ただちに使用ができる。
【００１９】
なお、本実施形態では、竹筒３１の外周面は横断面円形状としたが、これに限定されず、例えば、図4に示すように略四角形状としてもよい。
【図面の簡単な説明】
【００２０】
【図１】本考案に係る電気行灯の全体構成を説明するための図である。
【図２】竹筒を説明するための図である。
【図３】図２のＸ−Ｘ線における横断面図である。
【図４】竹筒の変形例を説明するための横断面図である。
【図５】竹筒の斜視図である。
【図６】光源と基台とを説明するための図である。
【図７】光源の変形例を説明するための図である。
【符号の説明】
【００２１】
１      電気行灯
１１    光源
１２    懐中電灯（光源）
２１    基台
３１    竹筒
３２    開口端部
３３    節
３４    孔
３５    光透過部
３７    凹部
【図１】
0003135533.tif 000003
【図２】
0003135533.tif 000004
【図３】
0003135533.tif 000005
【図４】
0003135533.tif 000006
【図５】
0003135533.tif 000007
【図６】
0003135533.tif 000008
【図７】
0003135533.tif 000009